(57)【要約】【課題】放射効率に寄与する電流をフレキシブルケーブルに効率よく流し、アンテナ特性を充分に確保できる携帯無線機を提供する。【解決手段】第１回路基板を有する第１の筐体と、前記第１の筐体に対して移動可能に連結され、第２回路基板を有する第２の筐体と、これら第１、第２回路基板同士を電気的に接続する帯状のフレキシブルケーブル１３と、を備え、前記フレキシブルケーブル１３が、その向きを反転させるようにして折り返し構造とされた携帯無線機であって、前記フレキシブルケーブル１３は、折り返された屈曲部１４と、前記屈曲部１４の第１回路基板側に連なる第１ケーブル領域１５と、前記屈曲部１４の第２回路基板側に連なるとともに前記第１ケーブル領域１５に対向しない第２ケーブル領域１６と、を有することを特徴とする。【選択図】図４
2010258766.tif 000002
【特許請求の範囲】
【請求項１】
第１回路基板を有する第１の筐体と、
前記第１の筐体に対して移動可能に連結され、第２回路基板を有する第２の筐体と、
これら第１、第２回路基板同士を電気的に接続する帯状のフレキシブルケーブルと、を備え、
前記フレキシブルケーブルが、その向きを反転させるようにして折り返し構造とされた携帯無線機であって、
前記フレキシブルケーブルは、折り返された屈曲部と、前記屈曲部の第１回路基板側に連なる第１ケーブル領域と、前記屈曲部の第２回路基板側に連なるとともに前記第１ケーブル領域に対向しない第２ケーブル領域と、を有することを特徴とする携帯無線機。
【請求項２】
請求項１に記載の携帯無線機であって、
前記第１、第２ケーブル領域のうち少なくとも一方には、切り欠き部が形成されていることを特徴とする携帯無線機。
【請求項３】
請求項１又は２に記載の携帯無線機であって、
前記第１回路基板と前記第２回路基板とが、厚さ方向に間隔を開け対向配置され、
前記フレキシブルケーブルが、これら第１、第２回路基板の間に配置され、
前記第１の筐体と前記第２の筐体とが、前記厚さ方向に交差する方向にスライド移動可能に連結されていることを特徴とする携帯無線機。
【請求項４】
請求項３に記載の携帯無線機であって、
前記第１、第２の筐体同士が、伸長方向にスライド移動した状態で、前記第２回路基板における前記第１の筐体側の端部には、アンテナ素子が配設されていることを特徴とする携帯無線機。
【発明の詳細な説明】
【技術分野】
【０００１】
本発明は、アンテナ特性（放射効率）の改善を実現する携帯無線機に関する。
【背景技術】
【０００２】
近年、携帯電話等の携帯無線機においては、外観デザインが重要視されているとともに、筐体の小型化・薄型化が進んでいる。一般に、携帯無線機は、ＬＣＤ（Ｌｉｑｕｉｄ  Ｃｒｙｓｔａｌ  Ｄｉｓｐｌａｙ）が配された表示側筐体と、操作キーが配された操作側筐体とを有しており、これらの筐体同士を連結させる態様によって、折畳型、スライド型、２軸回転型など様々に構成される。
【０００３】
また、携帯無線機は、その表示側筐体に表示側回路基板を、操作側筐体に操作側回路基板を夫々配設している。そして、これらの回路基板同士を、柔軟性を有する帯状のフレキシブルケーブルにより電気的に接続し構成されている。また、回路基板には、アンテナ素子、アンテナ給電点、無線回路等が設けられる。
【０００４】
フレキシブルケーブルとしては、例えば、ＦＰＣ（Ｆｌｅｘｉｂｌｅ  Ｐｒｉｎｔｅｄ  Ｃｉｒｃｕｉｔｓ）や細線同軸ケーブルなどが用いられる。このようなフレキシブルケーブルは、折畳型の携帯無線機においてはヒンジ内部に配置され、スライド型の携帯無線機においては表示側回路基板と操作側回路基板との間に配置される。
【０００５】
また、フレキシブルケーブル、表示側回路基板及び操作側回路基板は、互いにグランドで接続されている。このような構成によって、アンテナ素子に高周波信号の電流が供給された際、アンテナ給電点近傍に電流が集中するようなことが防止されている。すなわち、グランドで接続された２つの基板及びフレキシブルケーブル全体に高周波信号の電流が流れるので、アンテナ素子以外にこれらの基板も電磁波を放射することになり、アンテナ特性（放射効率）が確保されるようになっている。
【０００６】
例えば、特許文献１には、表示側筐体（第１の筐体）と操作側筐体（第２の筐体）とが所定方向にスライド可能に連結されたスライド型の携帯無線機（携帯無線端末）が記載されている。この携帯無線機は、表示側回路基板（第１の基板）と操作側回路基板（第２の基板）とが、フレキシブルケーブルにより電気的に接続されている。そして、このフレキシブルケーブルが、回路基板間において向きを反転させるようにして、折り返し構造とされている。
【先行技術文献】
【特許文献】
【０００７】
【特許文献１】特開２００８−４７９４９号公報
【発明の概要】
【発明が解決しようとする課題】
【０００８】
しかしながら、前述のように、フレキシブルケーブルが折り返し構造とされている場合には、該フレキシブルケーブルの折り返された屈曲部の前後において、電流が互いに異なる向きに流れることになる。すなわち、フレキシブルケーブルにおいて、屈曲部の前後に連なって互いに対向配置された領域同士に、逆位相の電流が流れるとともに、これらの電流が互いに打ち消しあうことになり、アンテナ特性を劣化させることがあった。
【０００９】
特に、スライド型の携帯無線機においては、その構造上フレキシブルケーブルがアンテナ近傍に配置されることが多く、アンテナ特性の劣化が顕著に見受けられていた。
【００１０】
本発明は、このような事情に鑑みてなされたものであって、放射効率に寄与する電流をフレキシブルケーブルに効率よく流し、アンテナ特性を充分に確保できる携帯無線機を提供することを目的としている。
【課題を解決するための手段】
【００１１】
前記目的を達成するために、本発明は以下の手段を提案している。
すなわち本発明は、第１回路基板を有する第１の筐体と、前記第１の筐体に対して移動可能に連結され、第２回路基板を有する第２の筐体と、これら第１、第２回路基板同士を電気的に接続する帯状のフレキシブルケーブルと、を備え、前記フレキシブルケーブルが、その向きを反転させるようにして折り返し構造とされた携帯無線機であって、前記フレキシブルケーブルは、折り返された屈曲部と、前記屈曲部の第１回路基板側に連なる第１ケーブル領域と、前記屈曲部の第２回路基板側に連なるとともに前記第１ケーブル領域に対向しない第２ケーブル領域と、を有することを特徴とする。
【発明の効果】
【００１２】
本発明に係る携帯無線機によれば、放射効率に寄与する電流をフレキシブルケーブルに効率よく流し、アンテナ特性を充分に確保できる。
【図面の簡単な説明】
【００１３】
【図１】本発明の一実施形態に係る携帯無線機を示す斜視図である。
【図２】本発明の一実施形態に係る携帯無線機の第１、第２回路基板、フレキシブルケーブル及びアンテナ素子の配置を示す斜視図である。
【図３】図２の側面図である。
【図４】本発明の一実施形態に係る携帯無線機のフレキシブルケーブルを示す斜視図である。
【図５】従来の携帯無線機のフレキシブルケーブルを示す斜視図である。
【図６】本発明に係る携帯無線機の放射効率（実施例）と、従来の携帯無線機の放射効率（比較例）とを示すグラフである。
【発明を実施するための形態】
【００１４】
図１に示すように、本実施形態に係る携帯無線機１０は、ＬＣＤが配された表示側筐体（第１の筐体）１と、操作キーが配された操作側筐体（第２の筐体）２とを有している。これらの表示側筐体１及び操作側筐体２は、矩形板状又は扁平した直方体状に夫々形成されている。
【００１５】
また、表示側筐体１と操作側筐体２とは、この携帯無線機１０の厚さ方向Ｔに互いに重ね合わされており、図中に矢印Ｓで示すように、厚さ方向Ｔに直交する所定方向（以下「スライド方向」とする）に沿って互いにスライド移動可能に連結されている。すなわち、この携帯無線機１０は、所謂スライド型の携帯電話からなる携帯無線機１０である。
【００１６】
尚、図１は、表示側、操作側筐体１、２同士が、スライド方向Ｓのうち伸長方向にスライド移動した状態を示している。また、表示側、操作側筐体１、２は、スライド方向Ｓの長さが互いに略同一に設定されており、スライド方向Ｓのうち収縮方向にスライド移動した状態においては、スライド方向Ｓに沿った両端面同士が互いに面一とされている。
【００１７】
また、図２、図３に示すように、表示側筐体１には、薄肉板状の表示側回路基板（第１回路基板）１１が配設されている。また、操作側筐体２には、薄肉板状の操作側回路基板（第２回路基板）１２が配設されている。これら表示側、操作側回路基板１１、１２は、スライド方向Ｓに長く、携帯無線機１０の幅方向Ｗに短い矩形状に夫々形成されている。また、これらの表示側回路基板１１と操作側回路基板１２とは、厚さ方向Ｔに間隔を開け対向配置されている。また、表示側、操作側回路基板１１、１２は、共に複数層からなるとともに、少なくともグランド層を夫々有している。
【００１８】
また、これら表示側、操作側回路基板１１、１２の間には、柔軟性を有する薄膜帯状からなり、表示側、操作側回路基板１１、１２同士を電気的に接続するフレキシブルケーブル１３が配設されている。フレキシブルケーブル１３は、複数層のＦＰＣからなり、少なくともグランド層を有している。また、表示側、操作側回路基板１１、１２のグランド層同士は、フレキシブルケーブル１３のグランド層を介し互いに電気的に接続されている。
【００１９】
また、フレキシブルケーブル１３は、そのスライド方向Ｓに沿った向きを反転させるようにして、折り返し構造とされている。詳しくは、図３において、フレキシブルケーブル１３は、その表示側回路基板１１に連結された端部１３ａからスライド方向Ｓの一方側（図３における右側）へ向けて延びた後、厚さ方向Ｔにおける操作側回路基板１２側へ向けて折り返されるとともにその向きを反転させ、スライド方向Ｓの他方側（図３における左側）へ向けて延びている。また、このように前記他方側へ向けて延びた後は、厚さ方向Ｔにおける操作側回路基板１２側へ向けて折り返されるとともに再びその向きを反転させ、一方側へ延びて、端部１３ｂで操作側回路基板１２に連結されている。
【００２０】
また、フレキシブルケーブル１３において、前述のようにスライド方向Ｓの向きを反転させる折り返し部分は、屈曲部１４とされている。屈曲部１４は、表示側、操作側筐体１、２同士の前述したスライド移動に対応して、そのフレキシブルケーブル１３に形成される位置を変位させるようになっている。
【００２１】
また、これら屈曲部１４のうち、表示側回路基板１１側に配置された図中の屈曲部１４Ａに着目して、該屈曲部１４Ａの表示側回路基板１１側に連なりスライド方向Ｓに沿って延びる部分を第１ケーブル領域１５とし、該屈曲部１４Ａの操作側回路基板１２側に連なりスライド方向Ｓに沿って延びる部分を第２ケーブル領域１６とする。図３の側面視において、これらの第１、第２ケーブル領域１５、１６は、厚さ方向Ｔに間隔を開け略平行に延びるように配置される。
【００２２】
また、図４に示すように、第１、第２ケーブル領域１５、１６のうち少なくとも一方には、切り欠き部が形成されている。本実施形態においては、第１ケーブル領域１５における幅方向Ｗの一方側（図４における右下側）に略矩形状の切り欠き部１５ａが形成されている。また、第２ケーブル領域１６における幅方向Ｗの他方側（図４における左上側）に略矩形状の切り欠き部１６ａが形成されている。
【００２３】
詳しくは、切り欠き部１５ａは、厚さ方向Ｔにおいて第２ケーブル領域１６に対応する位置に形成されている。また、切り欠き部１６ａは、厚さ方向Ｔにおいて第１ケーブル領域１５に対応する位置に形成されている。すなわち、これら切り欠き部１５ａ、１６ａが形成されていることによって、第１、第２ケーブル領域１５、１６同士は、互いに厚さ方向Ｔに対向配置されないように設定されている。
【００２４】
また、図１に示すように、表示側、操作側筐体１、２同士が、伸長方向にスライド移動した状態で、操作側回路基板１２における表示側筐体１側の端部には、アンテナ素子１７が配設されている。すなわち、図２、図３に示すように、操作側回路基板１２におけるスライド方向Ｓの前記一方側の端部に、略Ｌ字状の金属材料等からなるＬ字型のアンテナ素子１７が配設されている。
【００２５】
このようにアンテナ素子１７が配置されることによって、通話時に、この携帯無線機１０が伸長状態とされた際、アンテナ素子１７が人体の頭部や掌部から離間されやすくなり、アンテナ特性（放射効率）が確保されるようになっている。
【００２６】
また、図示しないが、操作側回路基板１２には、アンテナ素子１７に高周波信号の電流を供給するアンテナ給電点と、このアンテナ給電点に電気的に接続された無線回路とが設けられている。そして、操作側回路基板１２から無線回路、アンテナ給電点を介しアンテナ素子１７に高周波信号の電流が供給される。尚、高周波信号の電流は、操作側回路基板１２からフレキシブルケーブル１３を介し表示側回路基板１１にも流れるようになっている。
【００２７】
以上説明したように、本実施形態の携帯無線機１０によれば、表示側、操作側回路基板１１、１２同士を電気的に接続する帯状のフレキシブルケーブル１３が、折り返し構造とされている。そして、このフレキシブルケーブル１３は、折り返された屈曲部１４と、この屈曲部１４の表示側回路基板１１側に連なる第１ケーブル領域１５と、屈曲部１４の操作側回路基板１２側に連なり第１ケーブル領域１５に対向しない第２ケーブル領域１６とを有している。従って、このフレキシブルケーブル１３に高周波信号の電流が流れた際、第１ケーブル領域１５の電流と第２ケーブル領域１６の電流とが互いに逆位相になって打ち消しあうようなことが防止され、フレキシブルケーブル１３に効率よく電流が流れることになる。よって、携帯無線機１０のアンテナ特性（放射効率）が充分に確保される。
【００２８】
詳しくは、第１、第２ケーブル領域１５、１６には、切り欠き部１５ａ、１６ａが夫々形成されており、これら切り欠き部１５ａ、１６ａによって、第１、第２ケーブル領域１５、１６が互いに対向しない位置に配置されている。従って、フレキシブルケーブル１３に流れる電流が、屈曲部１４の前後で逆位相になり打ち消しあうようなことが確実に防止される。
【００２９】
また、本実施形態の構成によれば、表示側、操作側筐体１、２が互いにスライド移動する所謂スライド型の携帯無線機１０でありながらも、前述のように、フレキシブルケーブル１３において電流が打ち消しあうようなことが防止されて、アンテナ特性が向上する。
【００３０】
尚、本発明は前述の実施の形態に限定されるものではなく、本発明の趣旨を逸脱しない範囲において種々の変更を加えることが可能である。
例えば、本実施形態では、フレキシブルケーブル１３に切り欠き部１５ａ、１６ａを形成することにより、第１、第２ケーブル領域１５、１６同士が互いに対向しない配置とされているとしたが、これに限定されるものではない。
【００３１】
すなわち、第１、第２ケーブル領域１５、１６のうち、少なくともいずれか一方に矩形状等からなる穴部を形成して、これら第１、第２ケーブル領域１５、１６同士が互いに対向しない位置に配置される構成としてもよい。また、これら第１、第２ケーブル領域１５、１６同士が互いに対向しない配置とされればよいことから、前述以外の形状としても構わない。
【００３２】
また、本実施形態では、携帯無線機１０が所謂スライド型の携帯電話からなるとし、表示側、操作側筐体１、２同士が互いにスライド移動することとしたが、これに限定されるものではない。すなわち、携帯無線機１０は携帯電話以外の携帯無線端末等であっても構わない。また、フレキシブルケーブル１３が折り返し構造とされている携帯無線機１０であればよく、表示側、操作側筐体１、２同士が互いにスライド移動する構成に限定されるものではない。
【００３３】
また、本実施形態では、フレキシブルケーブル１３がＦＰＣからなるとしたが、これに限定されるものではない。すなわち、フレキシブルケーブル１３として、ＦＰＣ以外の細線同軸ケーブル等を用いても構わない。
【００３４】
また、本実施形態では、アンテナ素子１７がＬ字型に形成されていることとしたが、これに限定されるものではない。すなわち、アンテナ素子１７は、それ以外の逆Ｌ字型、モノポール型、ヘリカル型、ミアンダ型、逆Ｆ字型、板金型等であっても構わない。
【実施例】
【００３５】
以下、本発明を実施例により具体的に説明する。ただし本発明はこの実施例に限定されるものではない。
【００３６】
[実施例]
実施例として、携帯無線機１０のフレキシブルケーブル１３に、互いに対向しない配置に設定された第１、第２ケーブル領域１５、１６を有するものを用意した。すなわち、第１、第２ケーブル領域１５、１６に、前述した切り欠き部１５ａ、１６ａを形成したものを用いた。そして、この携帯無線機１０における放射効率（ｄＢ）を、ＦＤＴＤ（Ｆｉｎｉｔｅ  Ｄｉｆｆｅｒｅｎｃｅ  ｔｉｍｅ  Ｄｏｍａｉｎ  ｍｅｔｈｏｄ）法を用いて算出した。尚、放射効率は、周波数：１９５０ＭＨｚ、２１５０ＭＨｚの夫々において求めた。結果を、図６のグラフに示す。
【００３７】
[比較例]
また、比較例として、図５に示すように、折り返し構造のフレキシブルケーブル１１３において、屈曲部１１４に夫々連なる第１、第２ケーブル領域１１５、１１６同士が、互いに対向配置されたものを用意した。それ以外は、実施例と同様の条件として、放射効率を求めた。
【００３８】
図６に示す通り、実施例においては、比較例よりも放射効率が０．６ｄＢ以上も改善されることがわかった。
【符号の説明】
【００３９】
１  表示側筐体（第１の筐体）
２  操作側筐体（第２の筐体）
１０  携帯無線機
１１  表示側回路基板（第１回路基板）
１２  操作側回路基板（第２回路基板）
１３  フレキシブルケーブル
１４、１４Ａ  屈曲部
１５  第１ケーブル領域
１５ａ  第１ケーブル領域の切り欠き部
１６  第２ケーブル領域
１６ａ  第２ケーブル領域の切り欠き部
１７  アンテナ素子
Ｓ  スライド方向
Ｔ  厚さ方向
【図１】
2010258766.tif 000003
【図２】
2010258766.tif 000004
【図３】
2010258766.tif 000005
【図４】
2010258766.tif 000006
【図５】
2010258766.tif 000007
【図６】
2010258766.tif 000008